(57)【特許請求の範囲】
【請求項１】
画像データが格納された画像ファイルを記録する画像記録手段と、
前記画像ファイルを外部表示装置に出力するときに、該外部表示装置における表示態様を示す表示態様情報を該外部表示装置から取得する表示態様情報取得手段と、
前記画像ファイルに対する前記外部表示装置への表示指示であって、前記画像記録手段に記録された前記画像ファイルの選択、前記選択した画像ファイルの出力先の外部表示装置の指定及び前記画像ファイルを前記外部表示装置に出力するときの表示態様の指定を含む表示指示の入力を受け付ける表示指示手段と、
前記表示指示により指定された前記外部表示装置の解像度を示す出力先情報を取得する出力先情報取得手段と、
前記出力先情報及び前記表示態様情報に基づいて、前記画像ファイルを用いて画像の表示を行うときの表示解像度を算出する表示解像度算出手段と、
前記表示解像度と等しいか、または、前記表示解像度よりも小さく、且つ、前記表示解像度との間の解像度の差が所定値以下の画像データが画像ファイル内にある場合に、該画像データを前記外部表示装置に出力する出力手段と、
前記表示解像度と等しいか、または、前記表示解像度よりも小さく、且つ、前記表示解像度との間の解像度の差が前記所定値以下の画像データが画像ファイル内にない場合に、前記画像ファイル中の画像データから前記表示解像度の表示用画像データを生成して、前記外部表示装置に出力する画像データ生成手段と、
前記表示用画像データを前記画像ファイルの中に追加記録する画像データ追加記録手段と、
を備える画像記録装置。
【請求項２】
前記画像データ生成手段は、前記画像ファイルの中に前記表示解像度に適合する画像データが含まれていないときに、前記表示解像度の表示用画像データを生成する、請求項１記載の画像記録装置。
【請求項３】
前記表示用画像データを前記画像ファイルの中に追加記録する自動追記モードと、前記表示用画像データを前記画像ファイルの中に追加記録しない非追記モードとの間でモードを切り替える切替手段を更に備える請求項１又は２記載の画像記録装置。
【請求項４】
前記表示用画像データを前記画像ファイルの中に追加記録するかどうかの選択指示を受け付ける選択手段を更に備える請求項１又は２記載の画像記録装置。
【請求項５】
前記画像記録手段の空き容量を検出する空き容量検出手段を更に備え、
前記画像データ追加記録手段は、前記空き容量が所定値以上の場合に、前記表示用画像データを前記画像ファイルの中に追加記録し、前記空き容量が所定値未満の場合に、前記表示用画像データを前記画像ファイルの中に追加記録しない、請求項１から４のいずれか１項記載の画像記録装置。
【請求項６】
前記生成した表示用画像データを前記画像ファイルの中に追加記録するときに、前記追加記録された表示用画像データを、前記画像ファイル内でデータサイズが小さい順に並べ替える並べ替え手段を更に備える請求項１から５のいずれか１項記載の画像記録装置。
【請求項７】
画像記録手段に記録された画像データが格納された画像ファイルを外部表示装置に出力するときに、該外部表示装置における表示態様を示す表示態様情報を該外部表示装置から取得し、
前記画像ファイルに対する前記外部表示装置への表示指示であって、前記画像記録手段に記録された前記画像ファイルの選択、前記選択した画像ファイルの出力先の外部表示装置の指定及び前記画像ファイルを前記外部表示装置に出力するときの表示態様の指定を含む表示指示の入力を受け付け、
前記表示指示により指定された前記外部表示装置の解像度を示す出力先情報を取得し、
前記出力先情報及び前記表示態様情報に基づいて、前記画像ファイルを用いて画像の表示を行うときの表示解像度を算出し、
前記表示解像度と等しいか、または、前記表示解像度よりも小さく、且つ、前記表示解像度との間の解像度の差が所定値以下の画像データが画像ファイル内にある場合に、該画像データを前記外部表示装置に出力する一方、前記表示解像度と等しいか、または、前記表示解像度よりも小さく、且つ、前記表示解像度との間の解像度の差が前記所定値以下の画像データが画像ファイル内にない場合に、前記画像ファイル中の画像データから前記表示解像度の表示用画像データを生成して、前記外部表示装置に出力し、
前記表示用画像データを前記画像ファイルの中に追加記録する画像記録方法。
【請求項８】
前記画像ファイルの中に前記表示解像度に適合する画像データが含まれていないときに、前記表示解像度の表示用画像データを生成する、請求項７記載の画像記録方法。
【請求項９】
前記表示用画像データを前記画像ファイルの中に追加記録する自動追記モードと、前記表示用画像データを前記画像ファイルの中に追加記録しない非追加記録モードとの間でモードを切り替える、請求項７又は８記載の画像記録方法。
【請求項１０】
前記表示用画像データを前記画像ファイルの中に追加記録するかどうかの選択指示を受け付ける、請求項７又は８記載の画像記録方法。
【請求項１１】
前記画像記録手段の空き容量を検出し、
前記空き容量が所定値以上の場合に、前記表示用画像データを前記画像ファイルの中に追加記録し、前記空き容量が所定値未満の場合に、前記表示用画像データを前記画像ファイルの中に追加記録しない、請求項７から１０のいずれか１項記載の画像記録方法。
【請求項１２】
前記生成した表示用画像データを前記画像ファイルの中に追加記録するときに、前記追加記録された表示用画像データを、前記画像ファイル内でデータサイズが小さい順に並べ替える、請求項７から１１のいずれか１項記載の画像記録方法。
【発明の詳細な説明】
【技術分野】
【０００１】
本発明は画像記録装置及び画像記録方法に係り、特に記録した画像データを表示装置に出力する画像記録装置及び画像記録方法に関する。
【背景技術】
【０００２】
特許文献１には、表示データによる画像を、画像表示手段に表示する表示装置において、スクロール表示時にはスクロール表示対象の表示データを間引くとともに、この間引いた表示データによる画像を、画像表示手段の所定の部分領域内で表示させることが開示されている。
【０００３】
特許文献２には、画像の１つに対して、高い圧縮率で圧縮された高速用途画像データと、低い圧縮率で圧縮された高画質用途画像データとを格納しており、ズーム又はスクロール操作中であるときは高速用途画像データを読み出し、ズーム又はスクロール操作中でないときは高画質用途画像データを読み出す画像処理装置が開示されている。
【特許文献１】特開平９−８１０８４号公報
【特許文献２】特開２００５−３４５９１７号公報
【発明の開示】
【発明が解決しようとする課題】
【０００４】
表示装置の種類は、多様化しており、表示装置の種類ごとに表示に適した画像のサイズ（解像度）が異なっている。しかしながら、表示装置の種類ごとに多様な画像データをあらかじめ用意しておくことは困難であった。また、出力先の表示装置が変わる度に画像データの変換を行うと、変換処理に時間がかかり、無駄が多いという問題があった。
【０００５】
特許文献２は、高速用途画像データと高画質用途画像データの２種類の画像データを格納しておくものであるが、表示装置の種類の多様性に対応するものではかった。また、特許文献２には、画像データの構造については定義されていなかった。
【０００６】
本発明はこのような事情に鑑みてなされたもので、多様な種類の表示装置に画像を出力する場合に、出力先の表示装置に適した画像データを高速で提供することが可能な画像記録装置及び画像記録方法を提供することを目的とする。
【課題を解決するための手段】
【０００７】
上記課題を解決するために、本発明の第１の態様に係る画像記録装置は、画像データが格納された画像ファイルを記録する画像記録手段と、前記画像ファイルに対する表示指示の入力を受け付ける表示指示手段と、前記表示指示により指定された前記画像ファイルの出力先の表示装置の解像度を示す出力先情報を取得する出力先情報取得手段と、前記表示指示により指定された前記画像ファイルの表示態様を示す表示態様情報を取得する表示態様情報取得手段と、前記出力先情報及び前記表示態様情報に基づいて、前記画像ファイルを用いて画像の表示を行うときの表示解像度を算出する表示解像度算出手段と、前記画像ファイル中の画像データから前記表示解像度の表示用画像データを生成する画像データ生成手段と、前記表示用画像データを前記画像ファイルの中に追加記録する画像データ追加記録手段とを備える。
【０００８】
上記第１の態様によれば、一度表示した表示画像サイズの画像データが画像ファイルに追加記録されるので、次回同じ表示画像サイズの画像表示装置に出力する場合に、最適な解像度の画像データを高速に提供することができる。
【０００９】
本発明の第２の態様に係る画像記録装置は、上記第１の態様において、前記表示用画像データ生成手段が、前記画像ファイルの中に前記表示解像度に適合する画像データが含まれていないときに、前記表示解像度の表示用画像データを生成するように構成したものである。
【００１０】
本発明の第３の態様に係る画像記録装置は、上記第１又は第２の態様において、前記表示用画像データを前記画像ファイルの中に追加記録する自動追加記録モードと、前記表示用画像データを前記画像ファイルの中に追加記録しない非追加記録モードとの間でモードを切り替える切替手段を更に備える。
【００１１】
本発明の第４の態様に係る画像記録装置は、上記第１又は第２の態様において、前記表示用画像データを前記画像ファイルの中に追加記録するかどうかの選択指示を受け付ける選択手段を更に備える。
【００１２】
上記第３又は第４の態様によれば、画像記録手段に画像データが追加記録されて空き容量がなくなるのを防止できる。
【００１３】
本発明の第５の態様に係る画像記録装置は、上記第１から第４の態様において、前記画像記録手段の空き容量を検出する空き容量検出手段を更に備え、前記画像データ追加記録手段が、前記空き容量が所定値以上の場合に、前記表示用画像データを前記画像ファイルの中に追加記録し、前記空き容量が所定値未満の場合に、前記表示用画像データを前記画像ファイルの中に追加記録しないように構成したものである。
【００１４】
上記第５の態様によれば、画像記録手段の空き容量に応じて、表示解像度に変換された表示用画像データを画像ファイルに追加記録するかどうか選択することにより、画像記録手段に画像データが追加記録されて空き容量がなくなるのを防止できる。
【００１５】
本発明の第６の態様に係る画像記録装置は、上記第１から第５の態様において、前記追加記録された表示用画像データを、前記画像ファイル内でデータサイズが小さい順に並べ替える並べ替え手段を更に備える。
【００１６】
上記第６の態様によれば、画像ファイル内の画像データの読み込み、表示に要する時間を短縮することができる。
【００１７】
本発明の第７の態様に係る画像記録方法は、画像記録手段に記録された画像データが格納された画像ファイルに対する表示指示の入力を受け付け、前記表示指示により指定された前記画像ファイルの出力先の表示装置の解像度を示す出力先情報を取得し、前記表示指示により指定された前記画像ファイルの表示態様を示す表示態様情報を取得し、前記出力先情報及び前記表示態様情報に基づいて、前記画像ファイルを用いて画像の表示を行うときの表示解像度を算出し、前記画像ファイル中の画像データから前記表示解像度の表示用画像データを生成し、前記表示用画像データを前記画像ファイルの中に追加記録するように構成したものである。
【００１８】
本発明の第８の態様に係る画像記録方法は、上記第７の態様において、前記画像ファイルの中に前記表示解像度に適合する画像データが含まれていないときに、前記表示解像度の表示用画像データを生成するように構成したものである。
【００１９】
本発明の第９の態様に係る画像記録方法は、上記第７又は第８の態様において、前記表示用画像データを前記画像ファイルの中に追加記録する自動追加記録モードと、前記表示用画像データを前記画像ファイルの中に追加記録しない非追加記録モードとの間でモードを切り替えるように構成したものである。
【００２０】
本発明の第１０の態様に係る画像記録方法は、上記第７又は第８の態様において、前記表示用画像データを前記画像ファイルの中に追加記録するかどうかの選択指示を受け付けるように構成したものである。
【００２１】
本発明の第１１の態様に係る画像記録方法は、上記第７から第１０の態様において、前記画像記録手段の空き容量を検出し、前記空き容量が所定値以上の場合に、前記表示用画像データを前記画像ファイルの中に追加記録し、前記空き容量が所定値未満の場合に、前記表示用画像データを前記画像ファイルの中に追加記録しないように構成したものである。
【００２２】
本発明の第１２の態様に係る画像記録方法は、上記第７から第１１の態様において、前記追加記録された表示用画像データを、前記画像ファイル内でデータサイズが小さい順に並べ替えるように構成したものである。
【発明の効果】
【００２３】
本発明によれば、一度表示した表示画像サイズの画像データが画像ファイルに追加記録されるので、次回同じ表示画像サイズの画像表示装置に出力する場合に、最適な解像度の画像データを提供することができる。これにより、画像記録装置において、解像度の変換処理を行うことに伴う負荷を軽減し、省電力化を実現することができるとともに、表示の高速化を図ることできる。
【発明を実施するための最良の形態】
【００２４】
以下、添付図面に従って本発明に係る画像記録装置及び画像記録方法の好ましい実施の形態について説明する。
【００２５】
［第１の実施形態］
図１は、本発明の第１の実施形態に係る画像記録装置が適用された撮影装置を示すブロック図である。
【００２６】
図１に示すように、画像記録装置１０は、静止画や動画の記録及び再生機能を備えた電子カメラであり、画像記録装置１０全体の動作は中央処理装置（ＣＰＵ）１２によって統括制御される。
【００２７】
ＣＰＵ１２は、所定のプログラムに従って本カメラシステムを制御する制御手段として機能するとともに、自動露出（ＡＥ）演算、自動合焦制御（ＡＦ）演算、ホワイトバランス（ＷＢ）調整演算等、各種演算を実施する演算手段として機能する。
【００２８】
電源回路１４は、本カメラシステムの各ブロックに電源を供給する。
【００２９】
ＣＰＵ１２には、バス１８を介してＲＯＭ（Read Only Memory）２０及びＥＥＰＲＯＭ（Electronically Erasable and Programmable Read Only Memory）２２が接続されている。ＲＯＭ２０には、ＣＰＵ１２が実行するプログラム及び制御に必要な各種データ等が格納され、ＥＥＰＲＯＭ２２には、カメラ動作に関する各種定数／情報等が格納される。
【００３０】
メモリ（ＳＤＲＡＭ、Synchronous Dynamic Random Access Memory）２４は、プログラムの展開領域及びＣＰＵ１２の演算作業用領域として利用されるとともに、画像データや音声データの一時記憶領域として利用される。ＶＲＡＭ（Video Random Access Memory）２６は、画像データ専用の一時記憶メモリであり、Ａ領域とＢ領域を含んでいる。なお、メモリ２４とＶＲＡＭ２６は共用することが可能である。
【００３１】
画像記録装置１０には、電源スイッチ、モード選択スイッチ、撮影モード切替スイッチ、レリーズボタン、メニュー／ＯＫキー、十字キー、キャンセルキー等の操作スイッチ１６が設けられている。操作スイッチ１６からの信号はＣＰＵ１２に入力され、ＣＰＵ１２は入力信号に基づいて画像記録装置１０の各回路を制御し、例えば、レンズ駆動制御、撮影動作制御、画像処理制御、画像データの記録／再生制御、画像表示部６８の表示制御等を行う。
【００３２】
電源スイッチは、画像記録装置１０の電源のオン・オフを切り替えるための操作手段である。
【００３３】
モード選択スイッチは、撮影モードと再生モードとを切り替えるための操作手段である。
【００３４】
撮影モード切替スイッチは、画像記録装置１０の撮影モードを切り替える操作手段である。画像記録装置１０の撮影モードは、例えば、シーンポジション（例えば、ナチュラルフォト、人物、風景、スポーツ、夜景、水中撮影、接写（花等）又はテキスト文章撮影）に応じてフォーカスや露出を最適化して撮影するためのシーンポジションモード、フォーカスや露出を自動的に設定するオートモード、フォーカスや露出をマニュアルで設定可能なマニュアルモード又は動画撮影モードの間で切り替えられる。
【００３５】
レリーズボタンは、撮影開始の指示を入力する操作手段であり、半押し時にオンするＳ１スイッチと、全押し時にオンするＳ２スイッチとを有する２段ストローク式のスイッチで構成されている。
【００３６】
メニュー／ＯＫキーは、画像表示部６８の画面上にメニューを表示させる指令を行うためのメニューボタンとしての機能と、選択内容の確定及び実行等を指令するＯＫボタンとしての機能とを兼備した操作キーである。
【００３７】
十字キーは、上下左右の４方向の指示を入力する操作部であり、メニュー画面から項目を選択したり、各メニューから各種設定項目の選択を指示したりする操作手段（カーソル移動操作手段）である。また、十字キーの上キー及び下キーは撮影モード時のズームスイッチあるいは再生モード時の再生ズームスイッチとして機能し、左キー及び右キーは再生モード時のコマ送り（順方向／逆方向送り）ボタンとして機能する。
【００３８】
キャンセルキーは、選択項目等所望の対象の消去や指示内容の取り消し、あるいは１つ前の操作状態に戻す時等に使用される。
【００３９】
フラッシュボタンは、フラッシュモードを切り替えるためのボタンであり、撮影モードの下、フラッシュボタンを押圧操作することにより、フラッシュモードが、フラッシュ発光／発光禁止の各モードに設定される。
【００４０】
画像表示部６８は、カラー表示可能な液晶モニタで構成されている。画像表示部６８は、撮影時に画角確認用の電子ファインダとして使用できるとともに、記録済み画像を再生表示する手段として利用される。また、画像表示部６８は、ユーザインターフェース用の表示画面としても利用され、メニュー情報や選択項目、設定内容等の情報が表示される。なお、画像表示部６８としては、液晶モニタのほか、有機ＥＬ（electro-luminescence）等の他の方式の表示装置を用いることも可能である。
【００４１】
画像記録装置１０は、図示せぬメディア装着部を有し、メディア装着部には記録メディア３０を着脱可能に装着することができる。記録メディア３０の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。メディアコントローラ２８は、メディアソケットに装着される記録メディア３０に適した入出力信号の受渡しを行うために所要の信号変換を行う。
【００４２】
また、画像記録装置１０は、パーソナルコンピュータその他の外部機器と接続するための通信手段として外部接続インターフェース部（外部接続Ｉ／Ｆ）３２を備えている。画像記録装置１０は、外部接続Ｉ／Ｆ３２を介して外部機器と接続されると、当該外部機器との間でデータの受渡しが可能となる。なお、画像記録装置１０と外部機器との間の通信方式としては、例えば、ＵＳＢ、IEEE1394やBluetooth（登録商標）等を採用することができる。
【００４３】
次に、画像記録装置１０の撮影機能について説明する。モード選択スイッチによって撮影モードが選択されると、撮像素子（ＣＣＤ）４８を含む撮影部に電源が供給され、撮影可能な状態になる。なお、本実施形態では、撮像素子４８としてＣＣＤを用いたが、例えば、他の種類の固体撮像素子（例えば、ＣＭＯＳ）を用いるようにしてもよい。
【００４４】
レンズユニット３８は、フォーカスレンズ４２及びズームレンズ４４を含む撮影レンズ４０と、絞り兼用メカシャッター４６とを含む光学ユニットである。撮影時のフォーカシングはフォーカスレンズ４２をフォーカスモータ４２Ａによって移動させることにより行われ、ズーミングはズームレンズ４４をズームモータ４４Ａで移動させることにより行われる。フォーカスモータ４２Ａとズームモータ４４Ａは、それぞれフォーカスモータドライバ４２Ｂとズームモータドライバ４４Ｂにより駆動制御される。ＣＰＵ１２は、このフォーカスモータドライバ４２Ｂとズームモータドライバ４４Ｂに制御信号を出力して制御する。
【００４５】
絞り４６は、いわゆるターレット型絞りで構成されており、例えば、Ｆ２．８からＦ８の絞り孔が穿孔されたターレット板を回転させて絞り値（Ｆ値）を変化させる。この絞り４６の駆動はアイリスモータ４６Ａによって行われる。アイリスモータ４６Ａはアイリスモータドライバ４６Ｂにより駆動制御される。ＣＰＵ１２は、このアイリスモータドライバ４６Ｂに制御信号を出力して制御する。
【００４６】
レンズユニット３８を通過した光は、ＣＣＤ４８の受光面に結像される。ＣＣＤ４８の受光面には多数の受光素子（例えば、フォトダイオード）が２次元的に配列されており、各受光素子に対応して赤（Ｒ）、緑（Ｇ）、青（Ｂ）の原色カラーフィルタが所定の配列構造で配置されている。ＣＣＤ４８は、各受光素子の電荷蓄積時間（シャッタースピード）を制御する電子シャッター機能を有している。ＣＰＵ１２は、タイミングジェネレータ（ＴＧ）５６によりＣＣＤ４８における電荷蓄積時間を制御する。また、ＣＰＵ１２は、ＣＣＤ４８に対して、ＯＦＤ（Overflow Drain）の電位を制御して、ＣＣＤ４８の受光素子に蓄積される信号電荷の上限値を調整する。
【００４７】
ＣＣＤ４８の受光面に結像された被写体像は、各受光素子によって入射光量に応じた量の信号電荷に変換される。各受光素子に蓄積された信号電荷は、ＣＰＵ１２の指令に従いＴＧ５６から与えられる駆動パルスに基づいて信号電荷に応じたアナログの電圧信号として順次読み出される。
【００４８】
ＣＣＤ４８から読み出されたアナログの電圧信号は、アナログ処理部（ＣＤＳ／ＡＭＰ）５０に送られる。そして、アナログ処理部５０において、画素ごとの（点順次の）Ｒ、Ｇ、Ｂ信号がサンプリングホールド（相関２重サンプリング処理）されて増幅された後、Ａ／Ｄ変換器５２に加えられＡ／Ｄ変換される。Ａ／Ｄ変換器５２によってデジタル信号に変換された点順次のＲ、Ｇ、Ｂ信号は、画像入力コントローラ５４を介してメモリ２４に記憶される。アナログ処理部５０におけるＲ、Ｇ、Ｂ信号の増幅ゲインは、撮影感度（ＩＳＯ感度）に相当する。ＣＰＵ１２は、この増幅ゲインを調整することにより撮影感度を設定する。
【００４９】
画像信号処理回路５８は、同時化回路（単板ＣＣＤのカラーフィルタ配列に伴う色信号の空間的なズレを補間して色信号を同時式に変換する処理回路）、ホワイトバランス調整回路、階調変換処理回路（例えば、ガンマ補正回路）、輪郭補正回路、輝度・色差信号生成回路等を含む画像処理手段として機能し、ＣＰＵ１２からのコマンドに従ってメモリ２４を活用しながら、メモリ２４に記憶されたＲ、Ｇ、Ｂ信号に対して所定の信号処理を行う。
【００５０】
画像信号処理回路５８に入力されたＲ、Ｇ、Ｂ信号は、画像信号処理回路５８において輝度信号（Ｙ信号）及び色差信号（Ｃｒ、Ｃｂ信号）に変換されるとともに、階調変換処理（例えば、ガンマ補正）等の所定の処理が施される。画像信号処理回路５８により処理された画像データはＶＲＡＭ２６に格納される。
【００５１】
撮影画像を画像表示部６８にモニタ出力する場合、ＶＲＡＭ２６から画像データが読み出され、バス１８を介して表示制御部６６に送られる。表示制御部６６は、入力された画像データを表示用の所定方式のビデオ信号（例えば、ＮＴＳＣ方式のカラー複合画像信号）に変換して画像表示部６８に出力する。
【００５２】
ＣＣＤ４８から出力される画像信号によって、１コマ分の画像を表す画像データがＶＲＡＭ２６のＡ領域とＢ領域とで交互に書き換えられる。ＶＲＡＭ２６のＡ領域及びＢ領域のうち、画像データが書き換えられている方の領域以外の領域から、書き込まれている画像データが読み出される。このようにしてＶＲＡＭ２６内の画像データが定期的に書き換えられ、その画像データから生成される画像信号が画像表示部６８に供給されることにより、撮影中の画像がリアルタイムに画像表示部６８に表示される。撮影者は、画像表示部６８に表示されるライブビュー画像（以下、スルー画という）によって撮影画角を確認できる。
【００５３】
レリーズボタンが半押しされ、Ｓ１がオンすると、画像記録装置１０はＡＥ及びＡＦ処理を開始する。即ち、ＣＣＤ４８から出力された画像信号はＡ／Ｄ変換後に画像入力コントローラ５４を介してＡＦ検出回路６０並びにＡＥ／ＡＷＢ検出回路６２に入力される。
【００５４】
ＡＥ／ＡＷＢ検出回路６２は、１画面を複数の分割エリア（例えば、８×８又は１６×１６）に分割し、この分割エリアごとにＲ、Ｇ、Ｂ信号を積算する回路を含み、その積算値をＣＰＵ１２に提供する。ＣＰＵ１２は、ＡＥ／ＡＷＢ検出回路６２から得た積算値に基づいて被写体の明るさ（被写体輝度）を検出し、撮影に適した露出値（撮影ＥＶ値）を算出する。ＣＰＵ１２は、求めた露出値と所定のプログラム線図に従って、絞り値とシャッタースピードを決定し、これに従いＣＣＤ４８の電子シャッター及びアイリスを制御して適正な露光量を得る。
【００５５】
更に、ＣＰＵ１２は、フラッシュ発光モードに設定された場合にフラッシュ制御回路３４にコマンドを送って動作させる。フラッシュ制御回路３４は、フラッシュ発光部３６（放電管）を発光させるための電流を供給するためのメインコンデンサを含んでおり、ＣＰＵ１２からのフラッシュ発光指令に従ってメインコンデンサの充電制御、フラッシュ発光部３６への放電（発光）のタイミング及び放電時間の制御等を行う。なお、フラッシュ発光手段としては、放電管に代えてＬＥＤを用いることも可能である。
【００５６】
また、ＡＥ／ＡＷＢ検出回路６２は、自動ホワイトバランス調整時に、分割エリアごとにＲ、Ｇ、Ｂ信号の色別の平均積算値を算出し、その算出結果をＣＰＵ１２に提供する。ＣＰＵ１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランスゲイン）を制御し、各色チャンネルの信号に補正をかける。
【００５７】
画像記録装置１０におけるＡＦ制御は、例えば、画像信号のＧ信号の高周波成分が極大になるようにフォーカスレンズ４２を移動させるコントラストＡＦが適用される。即ち、ＡＦ検出回路６０は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００５８】
ＡＦ検出回路６０により求められた積算値のデータはＣＰＵ１２に通知される。ＣＰＵ１２は、フォーカスモータドライバ４２Ｂを制御してフォーカスレンズ４２を移動させながら、複数のＡＦ検出ポイントで焦点評価値（ＡＦ評価値）を演算し、演算した焦点評価値が極大となるレンズ位置を合焦位置として決定する。そして、ＣＰＵ１２は、求めた合焦位置にフォーカスレンズ４２を移動させるようにフォーカスモータドライバ４２Ｂを制御する。なお、ＡＦ評価値の演算はＧ信号を利用する態様に限らず、輝度信号（Ｙ信号）を利用してもよい。
【００５９】
レリーズボタンが半押しされると、Ｓ１オンによってＡＥ／ＡＦ処理が行われる。Ｓ１オン後に、レリーズボタンが全押しされると、Ｓ２オンによって記録用の撮影動作がスタートする。Ｓ２オンに応動して取得された画像データは画像信号処理回路５８において輝度／色差信号（Ｙ／Ｃ信号）に変換され、ガンマ補正等の所定の処理が施された後、メモリ２４に格納される。
【００６０】
メモリ２４に格納されたＹ／Ｃ信号は、圧縮伸張回路６４によって所定のフォーマットに従って圧縮された後、メディアコントローラ２８を介して記録メディア３０に記録される。例えば、静止画についてはＪＰＥＧ（Joint Photographic Experts Group）形式、動画についてはＡＶＩ（Audio Video Interleaving）形式の画像ファイルとして記録される。
【００６１】
モード選択スイッチにより再生モードが選択されると、記録メディア３０に記録されている最終の画像ファイル（最後に記録された画像ファイル）の圧縮データが読み出される。最後の記録に係る画像ファイルが静止画ファイルの場合、この読み出された画像圧縮データは、圧縮伸張回路６４によって非圧縮のＹ／Ｃ信号に伸張され、画像信号処理回路５８及び表示制御部６６を介して表示用の信号に変換された後、画像表示部６８に出力される。これにより、当該画像ファイルの画像内容が画像表示部６８の画面上にスルー画表示される。
【００６２】
静止画の１コマ再生中（動画の先頭フレーム再生中も含む）に、十字キーの右キー又は左キーを操作することによって、再生対象の画像ファイルを切り換えること（順コマ送り／逆コマ送り）ができる。コマ送りされた位置の画像ファイルが記録メディア３０から読み出されて画像表示部６８に再生表示される。
【００６３】
［表示制御処理］
次に、画像記録装置１０から画像ファイルを出力して表示するときの制御について説明する。
【００６４】
図２は、本発明の第１の実施形態に係る画像記録装置による表示制御を示す機能ブロック図である。
【００６５】
操作スイッチ１６の画像表示指示受付部は、記録メディア３０内の画像ファイルの選択、出力先の画像表示装置（モニタ）９８及び再生表示モードの指定を受け付ける。
【００６６】
再生表示モード取得部８０は、再生表示モードを取得する。ここで、再生表示モードとは、例えば、出力先の画像表示装置（モニタ）９８のドライバソフトから取得される情報であり、出力先の画像表示装置９８及び当該画像表示装置９８の解像度の設定を特定する情報、及び表示の態様を示す情報（例えば、一覧表示（サムネイル表示）、全画面表示、サムネイル画像を更に縮小して画面上により多く表示するマイクロサムネイル表示）である。
【００６７】
表示解像度決定部８２は、画像表示指示が入力されると、再生表示モードに応じて画像を表示するときの表示解像度を決定する。
【００６８】
画像取得部８４は、画像表示指示によって指定された画像ファイルＦ１０を記録メディア３０から読み出す。
【００６９】
図３は、画像ファイルＦ１０のデータ構造を模式的に示す図であり、図４は、画像ファイルＦ１０のヘッダのデータ構造を模式的に示す図である。
【００７０】
図３に示すように、画像ファイルＦ１０は、複数の画像データを含む画像ファイルであり、主画像領域Ａ１０と、拡張データ領域Ａ１２とを含んでいる。主画像領域Ａ１０には、変換されていない画像データＰ１が主画像データ（代表画像データ）として格納される。拡張データ領域Ａ１２には、画像データＰ２，…，Ｐｎが格納される。
【００７１】
図４に示すように、画像ファイルＦ１０の主画像領域Ａ１０には、付加情報（ヘッダ情報、APPx Header）が含まれている。付加情報（APPx Header）のIFD0領域には、画像ファイルに固有の（ユニークな）ＩＤ情報、及びＭＰファイル管理情報Ｄ１０が格納されている。ここで、ＭＰファイル管理情報Ｄ１０は、画像ファイルＦ１０がマルチピクチャファイルであること、即ち、主画像領域Ａ１０の後に拡張データ領域Ａ１２を含むことを示す情報及び各画像データＰ１，…，Ｐｎの解像度を示す情報が含まれている。画像記録装置１０は、このＭＰファイル管理情報Ｄ１０を取得すると、当該画像ファイルＦ１０がマルチピクチャファイルであると判断する。
【００７２】
拡張データ領域Ａ１２内の画像データＰ２，…，Ｐｎには個別に付加情報（Header）が付加されている。
【００７３】
なお、図中のＳＯＩ（Start of Image）及びＥＯＩ（End of Image）は、それぞれ各画像データの読み込み開始位置及び終了位置を示すマーカである。
【００７４】
ヘッダ情報解析部８６は、画像表示指示によって指定された画像ファイルＦ１０のヘッダを読み取って、画像ファイルＦ１０に含まれる画像データＰ１，…，Ｐｎの解像度を読み取る。
【００７５】
表示画像判断部８８は、上記ヘッダ情報に基づいて、表示解像度決定部８２が決定した表示解像度と等しい（又は表示解像度決定部８２が決定した表示解像度よりも小さい、又は表示解像度決定部８２が決定した表示解像度よりも小さく、且つ、解像度の差が所定値以下）解像度の画像データが画像ファイルＦ１０内にあるかどうかを判定する。
【００７６】
表示用画像選択部９０は、表示解像度決定部８２が決定した表示解像度と等しいか、又は表示解像度よりも小さい解像度の画像データが画像ファイルＦ１０内にあると判定された場合、表示用画像切換部９４を制御して、当該画像データを出力先の画像表示装置９８に表示する。
【００７７】
一方、表示用画像解像度変換部９２は、表示解像度決定部８２が決定した表示解像度と等しいか、又は表示解像度よりも小さい解像度の画像データが画像ファイルＦ１０内にないと判定された場合、表示解像度よりも大きい解像度の画像データから表示解像度に適合する解像度の画像データに変換する。表示用画像選択部９０は、表示用画像切換部９４を制御して、表示用画像解像度変換部９２によって生成された画像データを画像表示装置９８に出力する。
画像ファイル追加記録部９６は、図５に示すように、表示用画像解像度変換部９２によって生成された画像データＰ（ｎ＋１）に所定の処理（例えば、ヘッダ情報の付加、色空間変換処理、圧縮処理）を施して画像ファイルＦ１０の拡張データ領域Ａ１２に追加して記録し、画像データＰ（ｎ＋１）の格納位置情報及び解像度情報をマルチピクチャファイル管理情報Ｄ１０に書き込む。
【００７８】
表１は、出力先の画像表示装置９８と、表示態様及び表示解像度の関係を示している。
【００７９】
【表１】
0005117271.tif 000002
【００８０】
図６（ａ）に示すように、撮像装置１０Ａ（最大の表示解像度がＱＶＧＡ、撮像素子が１０Ｍ画素）から撮像装置１０Ｂ（最大の表示解像度がＨＤ−ＴＶ（１９２０×１０８０画素、２Ｍ画素）、撮像素子が１０Ｍ画素）に記録メディア３０を差し換えて、撮像装置１０Ｂにおいて表示を行った場合、図６（ｂ）に示すように、サムネイル表示用の画像データＰ２（２４０×１８０画素）及び画像データＰ３（１９２０×１０８０画素）が画像ファイルＦ１０内に追加記録される。
【００８１】
図７は、本発明の第１の実施形態に係る画像記録装置による表示制御の流れを示すフローチャートである。
【００８２】
まず、解像度変換フラグが“０”にセットされる（ステップＳ１０）。そして、再生表示モード取得部８０によって再生表示モードが取得される（ステップＳ１２）。
【００８３】
次に、画像表示指示が入力されると（ステップＳ１４のＹｅｓ）、表示解像度決定部８２によって再生表示モードに応じた表示解像度が算出され、決定される（ステップＳ１６）。
【００８４】
次に、表示する画像ファイルＦ１０が読み込まれて（ステップＳ１８）、画像ファイルＦ１０のヘッダ情報が解析される（ステップＳ２０）。そして、ヘッダ情報のマルチピクチャファイル管理情報Ｄ１０に基づいて、表示用画像データが画像ファイルＦ１０内に格納されているかどうか判定される（ステップＳ２２）。
【００８５】
表示用画像データが画像ファイルＦ１０内に格納されていない場合には（ステップＳ２２のＮｏ）、画像ファイルＦ１０内の画像データのうち表示解像度よりも大きい画像データが表示解像度に変換され（ステップＳ２４）、解像度変換フラグが“１”にセットされる（ステップＳ２６）。そして、表示解像度に変換された表示用画像データが画像表示装置９８に表示される（ステップＳ２８）。
【００８６】
一方、表示用画像データが画像ファイルＦ１０内に格納されている場合には（ステップＳ２２のＹｅｓ）、表示用画像データが画像表示装置９８に表示される（ステップＳ２８）。
【００８７】
次に、解像度変換フラグが“１”の場合には（ステップＳ３０のＹｅｓ）、表示解像度に変換された表示用画像データが画像ファイルＦ１０の拡張データ領域Ａ１２に追加記録される（ステップＳ３２）。
【００８８】
次に、コマ送りされると（ステップＳ３４のＮｏ、Ｓ３６のＹｅｓ）、解像度変換フラグが“０”にリセットされた後、ステップＳ１８に戻り、次の画像ファイルに対してステップＳ１８からＳ３６の工程が繰り返される。
【００８９】
図８は、再生表示モードの取得工程を示すフローチャートである。
【００９０】
まず、画像記録装置１０から外部の画像表示装置９８に表示出力する場合には（ステップＳ４０のＮｏ、Ｓ４２のＹｅｓ）、画像表示装置９８から解像度情報（モニタの解像度）が取得される（ステップＳ４４）。
【００９１】
一方、画像記録装置１０本体に表示出力する場合には（ステップＳ４０のＹｅｓ）、画像表示部６８の解像度が取得される（ステップＳ４６）。
【００９２】
次に、画像再生表示指示受付部によって指定された画像の表示態様（例えば、全画面表示、サムネイル表示、マイクロサムネイル表示）が取得され（ステップＳ４８）、出力先の解像度及び表示態様に基づいて、表示解像度が算出される（ステップＳ５０）。
【００９３】
本実施形態によれば、一度表示した表示画像サイズの画像データが画像ファイルＦ１０に追加記録されるので、次回同じ表示画像サイズの画像表示装置９８に出力する場合に、最適な解像度の画像データを提供することができる。これにより、画像記録装置１０において、解像度の変換処理を行うことに伴う負荷を軽減し、省電力化を実現することができるとともに、表示の高速化を図ることできる。また、通常、画像が表示された直後には、ユーザが画像を閲覧するために操作入力がなされない無操作期間が生じるので、この無操作期間に表示解像度に変換された表示用画像データを追加記録することで、タイムロスも無い。
【００９４】
［第２の実施形態］
次に、本発明の第２の実施形態について説明する。なお、上記第１の実施形態と同様の構成については説明を省略する。
【００９５】
図９は、本発明の第２の実施形態に係る画像記録装置による表示制御を示す機能ブロック図である。
【００９６】
本実施形態に係る画像記録装置１０は、追記指示入力部１００を更に備えている。追記指示入力部１００は、出力先の画像表示装置９８の表示解像度に応じて変換、生成された画像データを画像ファイルＦ１０に追加記録する自動追加記録モードと、追加記録を行わない非追加記録モードとの間でモード切替の入力を受け付ける。
【００９７】
図１０は、本発明の第２の実施形態に係る画像記録装置による表示制御の流れを示すフローチャートである。
【００９８】
まず、解像度変換フラグが“０”にセットされる（ステップＳ６０）。そして、再生表示モード取得部８０によって再生表示モードが取得される（ステップＳ６２）。
【００９９】
次に、画像表示指示が入力されると（ステップＳ６４のＹｅｓ）、表示解像度決定部８２によって再生表示モードに応じた表示解像度が算出され、決定される（ステップＳ６６）。
【０１００】
次に、表示する画像ファイルＦ１０が読み込まれて（ステップＳ６８）、画像ファイルＦ１０のヘッダ情報が解析される（ステップＳ７０）。そして、ヘッダ情報のマルチピクチャファイル管理情報Ｄ１０に基づいて、表示用画像データが画像ファイルＦ１０内に格納されているかどうか判定される（ステップＳ７２）。
【０１０１】
表示用画像データが画像ファイルＦ１０内に格納されていない場合には（ステップＳ７２のＮｏ）、画像ファイルＦ１０内の画像データのうち表示解像度よりも大きい画像データが表示解像度に変換され（ステップＳ７４）、解像度変換フラグが“１”にセットされる（ステップＳ７６）。そして、表示解像度に変換された表示用画像データが画像表示装置９８に表示される（ステップＳ７８）。
【０１０２】
一方、表示用画像データが画像ファイルＦ１０内に格納されている場合には（ステップＳ７２のＹｅｓ）、表示用画像データが画像表示装置９８に表示される（ステップＳ７８）。
【０１０３】
次に、解像度変換フラグが“１”で、且つ自動追加記録モードの場合には（ステップＳ８０のＹｅｓ）、表示解像度に変換された表示用画像データが画像ファイルＦ１０の拡張データ領域Ａ１２に追加記録される（ステップＳ８２）。
【０１０４】
次に、コマ送りされると（ステップＳ８４のＮｏ、Ｓ８６のＹｅｓ）、解像度変換フラグが“０”にリセットされた後、ステップＳ６８に戻り、次の画像ファイルに対してステップＳ６８からＳ８６の工程が繰り返される。
【０１０５】
本実施形態によれば、自動追加記録モードと非追加記録モードとを切り替えることにより、記録メディア３０に画像データが追加記録されて空き容量がなくなるのを防止できる。
【０１０６】
［第３の実施形態］
次に、本発明の第３の実施形態について説明する。なお、上記第１の実施形態と同様の構成については説明を省略する。
【０１０７】
本実施形態は、表示解像度に応じた画像データを変換、生成する画像表示モードの場合に、画像データの変換、生成の都度、生成した画像データを画像ファイルＦ１０に追加記録するかどうかを選択するようにしたものである。
【０１０８】
図１１は、本発明の第３の実施形態に係る画像記録装置による表示制御の流れを示すフローチャートである。
【０１０９】
まず、解像度変換フラグが“０”にセットされる（ステップＳ９０）。そして、再生表示モード取得部８０によって再生表示モードが取得される（ステップＳ９２）。
【０１１０】
次に、画像表示指示が入力されると（ステップＳ９４のＹｅｓ）、表示解像度決定部８２によって再生表示モードに応じた表示解像度が算出され、決定される（ステップＳ９６）。
【０１１１】
次に、表示する画像ファイルＦ１０が読み込まれて（ステップＳ９８）、画像ファイルＦ１０のヘッダ情報が解析される（ステップＳ１００）。そして、ヘッダ情報のマルチピクチャファイル管理情報Ｄ１０に基づいて、表示用画像データが画像ファイルＦ１０内に格納されているかどうか判定される（ステップＳ１０２）。
【０１１２】
表示用画像データが画像ファイルＦ１０内に格納されていない場合には（ステップＳ１０２のＮｏ）、画像ファイルＦ１０内の画像データのうち表示解像度よりも大きい画像データが表示解像度に変換され（ステップＳ１０４）、解像度変換フラグが“１”にセットされる（ステップＳ１０６）。そして、表示解像度に変換された表示用画像データが画像表示装置９８に表示される（ステップＳ１０８）。
【０１１３】
一方、表示用画像データが画像ファイルＦ１０内に格納されている場合には（ステップＳ１０２のＹｅｓ）、表示用画像データが画像表示装置９８に表示される（ステップＳ１０８）。
【０１１４】
次に、解像度変換フラグが“１”の場合には（ステップＳ１１０のＹｅｓ）、出力先の画像表示装置９８又は画像表示部６８に、表示解像度に変換された表示用画像データを画像ファイルＦ１０に追加記録するかどうかの入力画面が出力される（ステップＳ１１２）。そして、表示解像度に変換された表示用画像データを画像ファイルＦ１０に追加記録する旨の操作入力を受け付けると（ステップＳ１１２のＹｅｓ）、表示解像度に変換された表示用画像データが画像ファイルＦ１０の拡張データ領域Ａ１２に追加記録される（ステップＳ１１４）。
【０１１５】
次に、コマ送りされると（ステップＳ１１６のＮｏ、Ｓ１１８のＹｅｓ）、解像度変換フラグが“０”にリセットされた後、ステップＳ９８に戻り、次の画像ファイルに対してステップＳ９８からＳ１１８の工程が繰り返される。
【０１１６】
本実施形態によれば、表示解像度に応じた画像データが生成されるごとに当該画像データを画像ファイルＦ１０に追加記録するかどうかをユーザに選択させることで、記録メディア３０に画像データが追加記録されて空き容量がなくなるのを防止できる。
【０１１７】
［第４の実施形態］
次に、本発明の第４の実施形態について説明する。なお、上記第１の実施形態と同様の構成については説明を省略する。
【０１１８】
図１２は、本発明の第４の実施形態に係る画像記録装置による表示制御を示す機能ブロック図である。
【０１１９】
本実施形態に係る画像記録装置１０は、画像記録領域残容量判断部１０２（以下、残容量判断部１０２という。）を更に備えている。残容量判断部１０２は、記録メディア３０の空き容量（残容量）を検出し、表示解像度に応じた画像データが生成されると、空き容量に応じて当該画像データを画像ファイルＦ１０に追加記録するかどうかを選択する。
【０１２０】
図１３は、本発明の第４の実施形態に係る画像記録装置による表示制御の流れを示すフローチャートである。
【０１２１】
まず、解像度変換フラグが“０”にセットされる（ステップＳ１２０）。そして、再生表示モード取得部８０によって再生表示モードが取得される（ステップＳ１２２）。
【０１２２】
次に、画像表示指示が入力されると（ステップＳ１２４のＹｅｓ）、表示解像度決定部８２によって再生表示モードに応じた表示解像度が算出され、決定される（ステップＳ１２６）。
【０１２３】
次に、表示する画像ファイルＦ１０が読み込まれて（ステップＳ１２８）、画像ファイルＦ１０のヘッダ情報が解析される（ステップＳ１３０）。そして、ヘッダ情報のマルチピクチャファイル管理情報Ｄ１０に基づいて、表示用画像データが画像ファイルＦ１０内に格納されているかどうか判定される（ステップＳ１３２）。
【０１２４】
表示用画像データが画像ファイルＦ１０内に格納されていない場合には（ステップＳ１３２のＮｏ）、画像ファイルＦ１０内の画像データのうち表示解像度よりも大きい画像データが表示解像度に変換され（ステップＳ１３４）、解像度変換フラグが“１”にセットされる（ステップＳ１３６）。そして、表示解像度に変換された表示用画像データが画像表示装置９８に表示される（ステップＳ１３８）。
【０１２５】
一方、表示用画像データが画像ファイルＦ１０内に格納されている場合には（ステップＳ１３２のＹｅｓ）、表示用画像データが画像表示装置９８に表示される（ステップＳ１３８）。
【０１２６】
次に、解像度変換フラグが“１”の場合には（ステップＳ１４０のＹｅｓ）、記録メディア３０の空き容量が所定値以上かどうか判定される（ステップＳ１４２）。記録メディア３０の空き容量が所定値未満の場合には（ステップＳ１４２のＮｏ）、出力先の画像表示装置９８又は画像表示部６８に、警告メッセージが表示される（ステップＳ１４４）。ユーザは、この警告メッセージに応答して、表示解像度に変換された表示用画像データを画像ファイルＦ１０に追加記録するかどうかの選択入力を行うことができる。一方、記録メディア３０の空き容量が所定値以上の場合には（ステップＳ１４２のＹｅｓ）、表示解像度に変換された表示用画像データが画像ファイルＦ１０の拡張データ領域Ａ１２に追加記録される（ステップＳ１４６）。
【０１２７】
次に、コマ送りされると（ステップＳ１４８のＮｏ、Ｓ１５０のＹｅｓ）、解像度変換フラグが“０”にリセットされた後、ステップＳ１２８に戻り、次の画像ファイルに対してステップＳ１２８からＳ１５０の工程が繰り返される。
【０１２８】
本実施形態によれば、記録メディア３０の空き容量に応じて、表示解像度に変換された表示用画像データを画像ファイルＦ１０に追加記録するかどうか選択することにより、記録メディア３０に画像データが追加記録されて空き容量がなくなるのを防止できる。例えば、追加記録を許可する場合の記録メディア３０の記録容量の上限値（例えば、全記録容量の９５％までは追加記録を許可する）、又は記録メディア３０の空き容量の下限値（例えば、空き容量が２Ｍ未満になるまでは追加を許可する）を設定することができる。
【０１２９】
［第５の実施形態］
次に、本発明の第５の実施形態について説明する。なお、上記第１の実施形態と同様の構成については説明を省略する。
【０１３０】
図１４は、本発明の第５の実施形態に係る画像記録装置による表示制御の流れを示すフローチャートである。
【０１３１】
まず、解像度変換フラグが“０”にセットされる（ステップＳ１６０）。そして、再生表示モード取得部８０によって再生表示モードが取得される（ステップＳ１６２）。
【０１３２】
次に、画像表示指示が入力されると（ステップＳ１６４のＹｅｓ）、表示解像度決定部８２によって再生表示モードに応じた表示解像度が算出され、決定される（ステップＳ１６６）。
【０１３３】
次に、表示する画像ファイルＦ１０が読み込まれて（ステップＳ１６８）、画像ファイルＦ１０のヘッダ情報が解析される（ステップＳ１７０）。そして、ヘッダ情報のマルチピクチャファイル管理情報Ｄ１０に基づいて、表示用画像データが画像ファイルＦ１０内に格納されているかどうか判定される（ステップＳ１７２）。
【０１３４】
表示用画像データが画像ファイルＦ１０内に格納されていない場合には（ステップＳ１７２のＮｏ）、画像ファイルＦ１０内の画像データのうち表示解像度よりも大きい画像データが表示解像度に変換され（ステップＳ１７４）、解像度変換フラグが“１”にセットされる（ステップＳ１７６）。そして、表示解像度に変換された表示用画像データが画像表示装置９８に表示される（ステップＳ１７８）。
【０１３５】
一方、表示用画像データが画像ファイルＦ１０内に格納されている場合には（ステップＳ１７２のＹｅｓ）、表示用画像データが画像表示装置９８に表示される（ステップＳ１７８）。
【０１３６】
次に、解像度変換フラグが“１”の場合（ステップＳ１８０のＹｅｓ）、画像ファイルＦ１０がマルチピクチャファイルであれば拡張データ領域Ａ１２内の画像データがデータサイズが小さい順（解像度が低い順）にソートされ、マルチピクチャファイル管理情報Ｄ１０が更新される（ステップＳ１８２）。そして、表示解像度に変換された表示用画像データが画像ファイルＦ１０の拡張データ領域Ａ１２の適切な位置に追加記録される（ステップＳ１８４）。なお、表示解像度に変換された表示用画像データを追加した後にソートするようにしてもよい。
【０１３７】
次に、コマ送りされると（ステップＳ１８６のＮｏ、Ｓ１８８のＹｅｓ）、解像度変換フラグが“０”にリセットされた後、ステップＳ１６８に戻り、次の画像ファイルに対してステップＳ１６８からＳ１８８の工程が繰り返される。
【０１３８】
本実施形態によれば、拡張データ領域Ａ１２内の画像データをデータサイズが小さい順に並べることにより、画像ファイルＦ１０の拡張データ領域Ａ１２内の画像データ（例えば、ＨＤ−ＴＶ用のサムネイル表示（図６（ｂ）参照））の読み込み、表示に要する時間を短縮することができる。
【０１３９】
［第６の実施形態］
次に、本発明の第６の実施形態について説明する。なお、上記第１の実施形態と同様の構成については説明を省略する。
【０１４０】
図１５は、本発明の第６の実施形態に係る画像記録装置の主要構成を示すブロック図である。
【０１４１】
本実施形態の画像記録装置２００は、例えば、パーソナルコンピュータ（ＰＣ）によって構成されており、撮影装置又はメモリカード２１４からの記録用画像ファイルの読み込み、記録用画像ファイルの保存、編集等を行うための装置である。
【０１４２】
図１に示すように、中央処理装置（ＣＰＵ）２０２は、バス２０４を介して画像記録装置２００内の各ブロックに接続されており、各ブロックの動作を制御する。
【０１４３】
主メモリ２０６は、制御プログラムが格納される記憶領域や、プログラム実行時の作業領域を含んでいる。
【０１４４】
ハードディスク装置２０８には、画像記録装置２００のオペレーティングシステム（ＯＳ）や、各種のアプリケーションソフト、カメラ２３６又はメモリカード２１４から読み込まれた画像ファイルが格納される。
【０１４５】
ＣＤ−ＲＯＭ装置２１０は、図示せぬＣＤ−ＲＯＭからのデータの読み込みを行う。
【０１４６】
カードインターフェース部（カードＩ／Ｆ）２１２は、メモリカード２１４から画像データを読み取る。
【０１４７】
表示メモリ２１６は、表示用データを一時記憶する。モニタ２１８は、例えば、ＣＲＴ（Cathode Ray Tube）モニタや液晶モニタにより構成され、この表示メモリ２１６から出力される画像データ、文字データ等に基づいて画像や文字等を表示する。
【０１４８】
画像記録装置２００は、ユーザからの操作入力を受け付ける操作部としてキーボード２２０及びマウス２２２を備えている。キーボード２２０及びマウス２２２はユーザからの操作入力に応じた信号をＣＰＵ２０２に入力する。マウスコントローラ２２４は、マウス２２２の状態を検出してモニタ２１８上のマウスポインタの位置や、マウス２２２の状態等の信号をＣＰＵ２０２に出力する。なお、ポインティングデバイスとしては、マウス２２２のほか、タッチパネルやタッチパッド等を用いることができる。
【０１４９】
オーディオ入出力回路２２６には、マイク２２８及びスピーカ２３０が接続され、各種の音声信号が入力されるとともに、キーボード２２０等からの操作入力に応じて各種動作音が再生出力される。
【０１５０】
通信インターフェース部（通信Ｉ／Ｆ）２３２は、ネットワークＮＷを介した通信を行う際に所定の信号変換及び信号の受け渡しを行う。
【０１５１】
カメラ接続インターフェース部（カメラ接続Ｉ／Ｆ）２３４は、カメラ２３６との間でデータの送受信を行う際に所定の信号変換及び信号の受け渡しを行う。
【０１５２】
本実施形態の画像記録装置２００においても、上記第１から第５の実施形態の機能ブロック及び処理工程をＣＰＵ２０２により実現することにより、本発明を実現することができる。
【０１５３】
なお、本発明は、画像記録装置１０及びＰＣ２００以外の画像記録装置にも適用することができる。また、本発明は、上記画像記録装置に適用するアプリケーションプログラムとしても提供することができる。
【図面の簡単な説明】
【０１５４】
【図１】本発明の第１の実施形態に係る画像記録装置が適用された撮影装置を示すブロック図
【図２】本発明の第１の実施形態に係る画像記録装置による表示制御を示す機能ブロック図
【図３】画像ファイルＦ１０のデータ構造を模式的に示す図
【図４】画像ファイルＦ１０のヘッダのデータ構造を模式的に示す図
【図５】画像ファイルＦ１０に画像データを追加記録する工程を説明するための図
【図６】画像ファイルＦ１０に画像データを追加記録する工程を説明するための図
【図７】本発明の第１の実施形態に係る画像記録装置による表示制御の流れを示すフローチャート
【図８】再生表示モードの取得工程を示すフローチャート
【図９】本発明の第２の実施形態に係る画像記録装置による表示制御を示す機能ブロック図
【図１０】本発明の第２の実施形態に係る画像記録装置による表示制御の流れを示すフローチャート
【図１１】本発明の第３の実施形態に係る画像記録装置による表示制御の流れを示すフローチャート
【図１２】本発明の第４の実施形態に係る画像記録装置による表示制御を示す機能ブロック図
【図１３】本発明の第４の実施形態に係る画像記録装置による表示制御の流れを示すフローチャート
【図１４】本発明の第５の実施形態に係る画像記録装置による表示制御の流れを示すフローチャート
【図１５】本発明の第６の実施形態に係る画像記録装置の主要構成を示すブロック図
【符号の説明】
【０１５５】
１０…画像記録装置、１２…ＣＰＵ、６８…画像表示部、８０…再生表示モード取得部、８２…表示解像度決定部、８４…画像取得部、８６…ヘッダ情報解析部、８８…表示画像判断部、９０…表示用画像選択部、９２…表示用画像解像度変換部、９４…表示用画像切換部、９６…画像ファイル追加記録部、９８…画像表示装置（モニタ）、１００…追記指示入力部、１０２…画像記録領域残容量判断部
【図１】
0005117271.tif 000003
【図２】
0005117271.tif 000004
【図３】
0005117271.tif 000005
【図４】
0005117271.tif 000006
【図５】
0005117271.tif 000007
【図６】
0005117271.tif 000008
【図７】
0005117271.tif 000009
【図８】
0005117271.tif 000010
【図９】
0005117271.tif 000011
【図１０】
0005117271.tif 000012
【図１１】
0005117271.tif 000013
【図１２】
0005117271.tif 000014
【図１３】
0005117271.tif 000015
【図１４】
0005117271.tif 000016
【図１５】
0005117271.tif 000017